(57)【要約】  Ｂｌｕｅｔｏｏｔｈオーディオをストリーミングすることができる任意のデバイスからＢｌｕｅｔｏｏｔｈを介してペアリングし、「シンク」として機能する、ように構成された、サブウーファなどの、ポータブルスピーカ。ポータブルスピーカはまた、Ｂｌｕｅｔｏｏｔｈを介して、Ｂｌｕｅｔｏｏｔｈオーディオをストリーミングすることができる他のオーディオ機器にペアリングし、「ソース」として機能する、ようにも構成される。ポータブルスピーカはまた、オーディオストリームを再生する２つのユニット間の遅延がユーザに聞こえないように、好ましくは、ポータブルスピーカへ行くオーディオ信号と音楽を再生する他のユニットとを同期させるように構成される。好ましくは、ポータブルスピーカは、人が持ち運べるほどサイズ及び重量が十分に小さいということで、ポータブルとなるように構成され、ユニット内の充電式バッテリで動作するので、ＡＣコンセントなどの任意の他の電源又は自動車電力システムを必要としないということで、ポータブルである。別の実施形態は、スピーカを省略し、代わりに、サブウーファなどの外部スピーカへの接続のためのライン出力を提供する。【選択図】図１
2021532700.tif 000002
【特許請求の範囲】
【請求項１】
ワイヤレスシンクと、シグナルプロセッサと、ワイヤレスソースと、ポータブルデバイスの外部からオーディオを受信するように構成された少なくとも１つのマイクと、少なくとも１つのスピーカ及びライン出力のうちの少なくとも１つと、を含むポータブルデバイスであって、
前記デバイスは、前記ワイヤレスシンクを使用してワイヤレス信号を受信し、前記シグナルプロセッサを使用して前記信号を処理し、前記少なくとも１つのマイクからどんなオーディオが受信されたかに応じて前記ワイヤレスソースを使用してワイヤレス信号を送信するように構成され、
前記ポータブルデバイスは、前記少なくとも１つのスピーカを使用して音を発するのと、前記少なくとも１つのマイクからどんなオーディオが受信されたかに応じて前記ライン出力に信号を提供するのと、の少なくとも１つをするように構成される、
ポータブルデバイス。
【請求項２】
前記ワイヤレスシンクは、ワイヤレス信号レシーバを含む、請求項１に記載のポータブルデバイス。
【請求項３】
前記ワイヤレスシンクは、Ｂｌｕｅｔｏｏｔｈ信号レシーバを含む、請求項１に記載のポータブルデバイス。
【請求項４】
前記ワイヤレスソースは、ワイヤレス信号トランスミッタを含む、請求項１に記載のポータブルデバイス。
【請求項５】
前記ワイヤレスソースは、Ｂｌｕｅｔｏｏｔｈ信号トランスミッタを含む、請求項１に記載のポータブルデバイス。
【請求項６】
前記シグナルプロセッサから信号を受信するように構成されたデジタルオーディオバッファをさらに含む、請求項１に記載のポータブルデバイス。
【請求項７】
前記少なくとも１つのマイク及び前記デジタルオーディオバッファの両方から信号を受信するように構成された同期回路をさらに含む、請求項６に記載のポータブルデバイス。
【請求項８】
前記シグナルプロセッサから信号を受信するように構成されたデジタルオーディオバッファをさらに含み、
前記少なくとも１つのマイク及び前記デジタルオーディオバッファの両方から信号を受信するように構成された同期回路をさらに含み、
アンプをさらに含み、
前記デジタルオーディオバッファは、前記同期回路から信号を受信し、前記アンプに信号を供給するように構成され、
前記アンプは、音を生成するために前記少なくとも１つのスピーカを駆動するように構成される、
請求項１に記載のポータブルデバイス。
【請求項９】
前記同期回路は、前記デバイスの調整を行うために相互相関を使用するように構成される、請求項８に記載のポータブルデバイス。
【請求項１０】
前記ポータブルデバイスは、前記同期回路によって受信された信号の前記相互相関のピークを比較した後、最も高いピークが、次に高いピークよりも十分に大きく、そしてさらに、前記同期回路によって受信された前記信号の前記相互相関の平均よりも十分に大きい、と決定された場合は、遅延を加えるように構成される、請求項９に記載のポータブルデバイス。
【請求項１１】
前記ポータブルデバイスは、前記相互相関の前記最も高いピークが、前記次に高いピークよりも十分に大きくないか、又は前記平均よりも十分に大きくない、と決定された場合は、遅延を加えず、代わりに、計算を繰り返すように構成される、請求項１０に記載のポータブルデバイス。
【請求項１２】
前記ポータブルデバイスは、前記相互相関計算で使用される前記主導的な信号を遅延させることによって調整の精度を改善するように構成される、請求項９に記載のポータブルデバイス。
【請求項１３】
前記ポータブルデバイスは、前記少なくとも１つのマイクを使用して前記同期回路によって検出されることができる周波数に従って、前記同期回路によって受信された信号をフィルタリングすることによって、調整の精度を改善するように構成される、請求項９に記載のポータブルデバイス。
【請求項１４】
前記シグナルプロセッサに接続され、調整可能であるように構成された、少なくとも１つのユーザインタラクティブ制御をさらに含む、請求項１に記載のポータブルデバイス。
【請求項１５】
バッテリと、前記バッテリに関連付けられた内部電力管理回路と、をさらに含む、請求項１に記載のポータブルデバイス。
【請求項１６】
音を同期させるためにポータブルデバイスを使用する方法であって、前記方法は、
ワイヤレスシンクと、シグナルプロセッサと、ワイヤレスソースと、前記ポータブルデバイスの外部からオーディオを受信するように構成された少なくとも１つのマイクと、少なくとも１つのスピーカ及びライン出力のうちの少なくとも１つとを含む、前記ポータブルデバイスを提供することと、
ワイヤレス信号を受信するために前記ワイヤレスシンクを使用することと、
前記信号を処理するために前記シグナルプロセッサを使用することと、
前記少なくとも１つのマイクからどんなオーディオが受信されるかに応じてワイヤレス信号を送信するために前記ワイヤレスソースを使用することと、
前記少なくとも１つのマイクからどんなオーディオが受信されるかに応じて音を発するために前記少なくとも１つのスピーカを使用すること、及び、前記少なくとも１つのマイクからどんなオーディオが受信されるかに応じて信号を前記ライン出力に送信すること、のうちの少なくとも１つと、
を含む、方法。
【発明の詳細な説明】
【技術分野】
【０００１】
関連出願の相互参照
本出願は、２０１８年７月２５日に出願された米国仮特許出願第６２／７０３，３１９の利益を主張し、その全体が参照によって本明細書に組み込まれる。
【０００２】
本発明は、一般にワイヤレススピーカに関し、より詳細には、Ｂｌｕｅｔｏｏｔｈ信号を受信し、音を出力し、Ｂｌｕｅｔｏｏｔｈを介して別のＢｌｕｅｔｏｏｔｈスピーカ又は車両のオーディオシステムなどのオーディオシステムに接続する、ように構成された、サブウーファなどのＢｌｕｅｔｏｏｔｈスピーカに関する。
【背景技術】
【０００３】
パーソナルオーディオは、ユーザが自身の携帯電話からこれらのデバイスにオーディオをストリーミングすることができる、Ｂｌｕｅｔｏｏｔｈスピーカの使いやすさとポータビリティとによって主に推進されている重要な成長市場である。ほとんどの場合、これらのポータブルＢｌｕｅｔｏｏｔｈスピーカは、サブウーファを備えたホームシアターシステムのように、より「豊かな」音質をユーザに提供するのに十分なバス周波数を提供していない。
【０００４】
ポータブルＢｌｕｅｔｏｏｔｈスピーカは一般に、同じレベルの中高域周波数（２００〜２０ｋＨｚ）で低域周波数（２０〜２００Ｈｚ）を提供するのが困難である。これは主に、この範囲（２０〜２００Ｈｚ）の低域周波数を生成するために必要な量の空気を動かすことができない、ラウドスピーカのサイズに起因する。別の理由は、ポータブルＢｌｕｅｔｏｏｔｈスピーカのサイズである。中高域周波数と同じレベルの音を生成するには、デバイス内のラウドスピーカは、元のサイズと重量とを大幅に増やす可能性のある、はるかに大きなサイズのエンクロージャを必要とする。
【０００５】
今日市場にある多くのＯＥＭ自動車ステレオシステムは、標準オプションとしてＢｌｕｅｔｏｏｔｈ接続を提供している。サブウーファはステレオシステムの一般的な標準オプションではないため、低域周波数の出力レベルは「豊かな音」にとって最適ではない。サブウーファは自動車全体の設計にコスト、重量、及びスペースの要件を追加するので、自動車メーカは標準オプションとしてサブウーファを提供していない、と考えられている。
【０００６】
自動車ステレオシステムを補完するためにアフターマーケットソリューションが利用可能であり、これによって、消費者はサブウーファを自分で設置せざるを得ないか、又は、ケーブルを取り回し、及びアンプなどのサードパーティの電子機器をインストールするために、通常は、自動車の一部を分解することを必要とするため、専門的なサービスを利用せざるを得ない。多くの自動車所有者にとって、彼らはアフターマーケットの電子機器をインストールするための経験又は知識を持っていないか、又はインストール料金のために高額な費用を払いたくない。自動車をリースするとき、ほとんどの場合、アフターマーケットの電子機器で自動車を操作することは、リース契約に違反する。
【０００７】
サブウーファを含む、オーディオ再生のための複数のワイヤレススピーカを接続することができるソリューションが存在するが、それらはそのように特別に設計された同じメーカによってのみ機能する。一例として、これらの製品は競合製品に接続することができない。
【０００８】
既存のサブウーファは「ポータブル」とは見なされず、そのように設計もされていない。
サブウーファはポータブルと見なされるには一般的に重すぎて大きすぎる。さらに、サブウーファはＡＣコンセントからか、又は１２〜１６Ｖを受け取るように自動車内において配線で接続されることによって電力が供給される。
【０００９】
ポータブルで、バッテリ駆動で、既存のサードパーティのＢｌｕｅｔｏｏｔｈオーディオシステムへの接続が容易なオーディオシステムに、より良好なバスを提供する必要性が存在する。この技術のユーザは、このサブウーファデバイスを自身の既存のＢｌｕｅｔｏｏｔｈスピーカ、Ｂｌｕｅｔｏｏｔｈ対応という条件で自身のカーオーディオシステム、又は任意のその他のＢｌｕｅｔｏｏｔｈオーディオシステムと、専門家によるインストールを必要とせずにペアリングすることができる。
【発明の概要】
【発明が解決しようとする課題】
【００１０】
本発明の一実施形態の目的は、Ｂｌｕｅｔｏｏｔｈ信号を受信し、音を生成し、Ｂｌｕｅｔｏｏｔｈを介して、Ｂｌｕｅｔｏｏｔｈスピーカ、車両オーディオシステム、ホームシアターシステム、又はスマートＴＶになど、オーディオシステムに接続する、ように構成された、サブウーファ（ｓｕｂｗｏｏｆｅｒ）などのＢｌｕｅｔｏｏｔｈスピーカを提供することである。
【００１１】
本発明の一実施形態の別の目的は、スマートフォン又は他のデバイスからなど、Ｂｌｕｅｔｏｏｔｈ信号を受信し、デバイスの少なくとも１つのスピーカを介して音を再生し、別のスピーカ又は車両のオーディオシステム、などのオーディオシステムに、Ｂｌｕｅｔｏｏｔｈを介して信号をワイヤレスで送信、することができるデバイスを提供することである。
【課題を解決するための手段】
【００１２】
簡単に言えば、本発明の一実施形態は、Ｂｌｕｅｔｏｏｔｈ信号レシーバと、シグナルプロセッサと、少なくとも１つのスピーカと、Ｂｌｕｅｔｏｏｔｈ信号トランスミッタとを含むデバイスを提供する。デバイスは、Ｂｌｕｅｔｏｏｔｈ信号レシーバを使用してＢｌｕｅｔｏｏｔｈ信号を受信し、シグナルプロセッサを使用してその信号を処理し、少なくとも１つのスピーカを使用して音を発し、Ｂｌｕｅｔｏｏｔｈ信号トランスミッタを使用してＢｌｕｅｔｏｏｔｈ信号を送信する、ように構成される。
【００１３】
本発明の好ましい一実施形態は、ワイヤレスＢｌｕｅｔｏｏｔｈ信号を受信するように構成されたＢｌｕｅｔｏｏｔｈ信号レシーバと、Ｂｌｕｅｔｏｏｔｈ信号レシーバからデジタルオーディオ信号を受信するように構成されたシグナルプロセッサと、シグナルプロセッサから信号を受信し、Ｂｌｕｅｔｏｏｔｈ信号をワイヤレスで送信する、ように構成されたＢｌｕｅｔｏｏｔｈ信号トランスミッタと、シグナルプロセッサから信号を受信するように構成されたデジタルオーディオバッファと、少なくとも１つのマイクと、少なくとも１つのマイク及びデジタルオーディオバッファの両方から信号を受信するように構成された同期回路と、アンプと、を含み、前記デジタルオーディオバッファは、同期回路から信号を受信し、アンプに信号を供給する、ように構成され、前記アンプは、音を生成するために前記少なくとも１つのスピーカを駆動するように構成された、ポータブルでバッテリ駆動のＢｌｕｅｔｏｏｔｈサブウーファを含む。少なくとも１つのユーザインタラクティブ制御が、ユーザによって調整可能なシグナルプロセッサに接続されている状態で提供され得る。
【００１４】
本発明の構造及び操作の構成及び方法は、さらなる目的及びその利点と共に、類似の符号が類似の要素を特定する添付の図面に関連させた以下の説明を参照することによって最もよく理解され得る。
【図面の簡単な説明】
【００１５】
【図１】本発明の好ましい一実施形態に係る、ポータブルでバッテリ駆動のＢｌｕｅｔｏｏｔｈサブウーファのブロック図である。
【図２】携帯電話をＢｌｕｅｔｏｏｔｈスピーカに接続する標準的な方法を示す。
【図３】図２と似ているが、同じアプリケーションで図１のデバイスが使用されているのを示す。
【図４】携帯電話をＢｌｕｅｔｏｏｔｈ対応のカーラジオ（別名「ヘッドユニット」）に接続する標準的な方法を示す。
【図５】図４と似ているが、同じアプリケーションで図１のデバイスが使用されているのを示す。
【図６】オーディオ信号の調整（又は同期）で使用される相互相関計算のプロットである。
【図７】オーディオ信号の同期に役立たない相互相関計算を示す。
【発明を実施するための形態】
【００１６】
本発明は、異なる形態の実施形態を受け入れる余地があり得るが、本開示は本発明の原理の例示と見なされるべきであって本発明を図示のようなものに限定することを意図するものではない、という理解のもとに、特定の実施形態が図面に示され、本明細書で詳細に説明される。
【００１７】
図１は、ワイヤレス信号を受信し、音を生成し、別のスピーカ又は車両のオーディオシステムなどのオーディオシステムにワイヤレスに接続する、ように構成されているデバイスのブロック図である。具体的には、本発明の好ましい一実施形態が示されており、デバイスは、本発明の好ましい一実施形態に係る、ポータブルでバッテリ駆動のＢｌｕｅｔｏｏｔｈサブウーファ１０を含む。
【００１８】
示されるように、ポータブルでバッテリ駆動のＢｌｕｅｔｏｏｔｈサブウーファ１０は、Ｂｌｕｅｔｏｏｔｈ信号レシーバ１２などの少なくとも１つのワイヤレスシンクを含む。Ｂｌｕｅｔｏｏｔｈ信号レシーバ１２は、携帯電話からのＢｌｕｅｔｏｏｔｈ信号などのワイヤレス信号を受信するように構成される。したがって、音楽は、たとえば、携帯電話からサブウーファ１０にワイヤレスに送信されることができる。サブウーファ１０は、Ｂｌｕｅｔｏｏｔｈ信号レシーバ１２からデジタルオーディオ信号１６を受信するように構成されているシグナルプロセッサ１４（デジタルシグナルプロセッサ（ＤＳＰ）など）を含む。サブウーファ１０はまた、シグナルプロセッサ１４から信号２０を受信し、Ｂｌｕｅｔｏｏｔｈ信号をワイヤレスに、すなわち、別のスピーカに（図３にされるように、以下で後にさらに完全に説明される）、又は車両のオーディオシステムに（図５に示されるように、以下で後にさらに完全に説明される）など、オーディオシステムに送信する、ように構成されているＢｌｕｅｔｏｏｔｈ信号トランスミッタ１８などの、少なくとも１つのワイヤレスソースも含む。
【００１９】
図１に示されるように、サブウーファ１０はまた、好ましくは、シグナルプロセッサ１４から信号２３を受信するように構成されているデジタルオーディオバッファ２２と、少なくとも１つのマイク２４と、少なくとも１つのマイク２４及びデジタルオーディオバッファ２２の両方から信号２８、３０を受信するように構成されている同期回路２６と、も含む。好ましくはアンプ３２が備えられ、デジタルオーディオバッファ２２は、同期回路２６から信号３４を受信し、信号３６をアンプ３２に供給する、ように構成され、アンプ３２は、音を生成するために少なくとも１つのスピーカ３８を駆動するように構成される。
【００２０】
図１に示されるように、１又は複数のノブ及び／又はスイッチなどの少なくとも１つのユーザインタラクティブ制御４０が、シグナルプロセッサ１４に接続されているように備えられ得、少なくとも１つのユーザインタラクティブ制御は、たとえば、クロスオーバ周波数、位相などを設定するためにユーザによって調整可能であり、こうした制御は、サブウーファアプリケーションにおいて一般的なユーザ調整である。さらに、ポータブルでバッテリ駆動のＢｌｕｅｔｏｏｔｈサブウーファ１０は、業界で標準的であることから明確さのために図面から省略されている、１又は複数の入力、ライト、ボタンなどを含み得る。
【００２１】
好ましくは、シグナルプロセッサ１４は、少なくとも１つのスピーカ３８を介した最終的な出力のために低域周波数をデジタルオーディオバッファ２２に効果的に供給するように構成され、及び、中高域周波数を再生する別のスピーカ（図３に示されるように、以下で後にさらに完全に説明される）又は車両のオーディオシステム（図５に示されるように、以下で後にさらに完全に説明される）などの別のオーディオシステムにペアリングされている、Ｂｌｕｅｔｏｏｔｈ信号トランスミッタ１８に中高域周波数を供給するように構成される。
【００２２】
とにかく、低域周波数を他のオーディオシステムに合わせて調整（又は同期）するために、好ましくは、サブウーファ１０は、信号２８を同期回路２６にフィードバックする少なくとも１つのマイク２４を使用するように構成される。同期回路２６は、全体の遅延を決定し、低域周波数のデジタルオーディオ信号２３が、マイク２４を介して受信された入力のオーディオと一致する場所に関して、デジタルオーディオバッファ２２内のメモリアドレスを指し示す、ように構成される。次いで、信号３６は、少なくとも１つのスピーカ３８を介した再生のためにアンプ３２に供給される。好ましくは、サブウーファ１０は、全体の遅延精度が許容可能、たとえば５ミリ秒未満であることを提供するように構成される。
【００２３】
調整（又は同期）は、好ましくは、デジタル回路、プログラムされたフィールドプログラマブルゲートアレイ、又はプログラムされたデジタルシグナルプロセッサを含む、同期回路２６において達成され、少なくとも１つのマイク２４からの信号２８の、信号３０として遅延させられた信号２３との相互相関を実行する。相互相関は、十分に研究され、十分に文書化された数学的アルゴリズムである。同期回路２６の具体的な実施態様に応じて、プログラム可能な係数を有する有限インパルス応答フィルタの適用による畳み込みなどの数学的に同等のテクニックが望ましい場合がある。相互相関のピークの計算されたサンプル番号（時間）位置（図６において、９１での「０」遅延に対する９０における「Ｘ」）は、十分な信頼度をもって、必要に応じてアンプへの信号３６及びライン出力８０への信号を遅延させるためにデジタルオーディオバッファ２２を制御するために使用される。
【００２４】
調整の信頼度は、好ましくは、図６及び図７の相互相関のピークの９０及び９３の「Ｙ」値を、次に高いピークの９２及び９４の「Ｙ」値とそれぞれ比較することによって、さらに、ピークのＹ値を、評価されている相互相関の平均のＹ値と比較することによって、計算される。図６によって例示されるように、ピークが、次に高いピークよりも十分に大きく、さらに、平均よりも十分に大きい場合、その計算が遅延を設定するために使用される。図７によって両方のケースが例示されているが、ピークが、次に高いピークよりも十分に大きくないか、又は平均よりも十分に大きくない場合、結果は誤っていると推定され、破棄され、計算が繰り返される。
【００２５】
調整の精度は、好ましくは、信号２３を遅延させることによって改善され、信号２８との相互相関比較のためのより有用な信号３０を生成する。この遅延は、０、固定、又は前の調整試行から計算され得る。
【００２６】
調整の精度は、好ましくは、少なくとも１つのマイク２４によって容易に検出されることができ、トランスミッタ１８及び４８からの信号を受信するスピーカによって容易に再生されてスピーカ３８又は（おそらく）８２によっては再生されないと推定される、周波数に従って、信号２８及び３０をフィルタリングすることによっても改善される。
【００２７】
好ましくは、サブウーファ１０は、バッテリ駆動であるように構成され、したがって、図１に示されるように、バッテリ４２、関連する内部電力管理回路４４を含み、サブウーファ１０は、外部ウォールチャージャ４６を使用して充電されるように構成される。もちろん、サブウーファ１０は、代わりに（又は追加で）、自動車の電力システムへなど、配線で接続されるように構成されることができる。
【００２８】
単一のＢｌｕｅｔｏｏｔｈトランスミッタ１８の代わりに、追加のＢｌｕｅｔｏｏｔｈトランスミッタ（図１においてドット４８によって表される）が、５．１サラウンドシステムを作成するためになど、サブウーファ１０が複数のＢｌｕｅｔｏｏｔｈスピーカに同時に接続（及び送信）するように構成されるように、シグナルプロセッサ１４から信号４９を受信するように備えられることができる。
【００２９】
スピーカ３８を駆動するためのアンプ３２に信号３６を提供する代わりに、又はそれに加えて、デジタルオーディオバッファ２２は、電源供給される外部サブウーファへ又はパッシブサブウーファに接続されているアンプへなど、外部アクティブスピーカ８２に接続されることができるライン出力８０に信号を供給することができる。実際、アンプ３２及びスピーカ３８は、デバイス１０から完全に省略されることができ、ライン出力８０のみが備えられることができる。あるいは、又はさらに、パッシブスピーカ又はサブウーファなどの外部パッシブスピーカ８７に接続されることができるアンプ出力８５にパワード出力を供給するために、アンプ８３がデバイス１０の内部に備えられることができる。これらの選択肢、すなわち、内部アンプ３２及びスピーカ３８、ライン出力８０、内部アンプ８３及びアンプ出力８５、のうちの任意の１又は複数が実装されることができる。
【００３０】
別の実施形態は、改善されたノイズキャンセリングを提供するためになど、符号２５で示される複数のドットによって表されるように、２つ以上のマイク２４が備えられることを提供し得る。
【００３１】
ポータブルサブウーファ１０は、オーディオをストリーミングすることができる任意のＢｌｕｅｔｏｏｔｈデバイスに接続するように構成される。一般的な例は、携帯電話、タブレット、パソコンなどを含む。本開示では、携帯電話は単に一例として使用されている。
【００３２】
図２は、携帯電話５０を従来のＢｌｕｅｔｏｏｔｈスピーカ６０に接続する標準的な方法を示している。携帯電話５０は「ソース」と見なされ、Ｂｌｕｅｔｏｏｔｈスピーカ６０は「シンク」と見なされる。携帯電話５０からＢｌｕｅｔｏｏｔｈスピーカ６０へオーディオデータがストリーミングする。Ｂｌｕｅｔｏｏｔｈスピーカ６０は、信号を受信し、それを処理し、スピーカへの信号を増幅して、オーディオ音を生成する。
【００３３】
図３は、図１に示され、上で説明された、ポータブルサブウーファ１０を使用する同じソリューションを示している。図３に示されるように、携帯電話５０は、「ソース」としてＢｌｕｅｔｏｏｔｈを介してポータブルサブウーファ１０に接続する。ポータブルサブウーファ１０は、携帯電話６０に対する「シンク」であり、Ｂｌｕｅｔｏｏｔｈスピーカ６０に対する「ソース」でもある。Ｂｌｕｅｔｏｏｔｈスピーカ６０はポータブルサブウーファ１０に対して「シンク」である。基本的に、ポータブルサブウーファ１０は、携帯電話５０からオーディオ信号を受信し、信号を処理し、低域周波数を、内部サブウーファラウドスピーカ（ｌｏｕｄｓｐｅａｋｅｒ）３８（図１を参照）にパワーを供給する内部アンプ３２（図１を参照）にルーティングし、中高域周波数を、次いでＢｌｕｅｔｏｏｔｈスピーカ６０に効果的にブロードキャストされる「ソース」部分にルーティング（図３を参照）する、ように構成される。発せられる音に聞き取れる遅延がないように、ポータブルサブウーファ１０及びＢｌｕｅｔｏｏｔｈスピーカ６０の両方が同期される（すなわち、図１に示される少なくとも１つのマイク２４及び同期回路２６を使用して）。
【００３４】
ポータブルＢｌｕｅｔｏｏｔｈスピーカ６０にペアリングするとき、ポータブルサブウーファ１０は、ソース携帯電話５０及びＢｌｕｅｔｏｏｔｈスピーカ６０の範囲内に配置されなければならない。次いで、ユーザは、Ｂｌｕｅｔｏｏｔｈを介して携帯電話５０をポータブルサブウーファ１０にペアリングする。ポータブルサブウーファ１０は、Ｂｌｕｅｔｏｏｔｈスピーカ６０にペアリングし、接続された時点で、ユーザは、自身の携帯電話５０を介してオーディオをストリーミングする。
【００３５】
ポータブルサブウーファ１０は、現在Ｂｌｕｅｔｏｏｔｈオーディオ製品の最も一般的なクラスであるクラス２のＢｌｕｅｔｏｏｔｈパワーレベルを使用するように構成され得る。その範囲は通常、約１０メートル又は３２フィートである。あるいは、ポータブルサブウーファ１０は、クラス１のＢｌｕｅｔｏｏｔｈパワーレベルなどの他のクラスで動作するように構成されてもよい。
【００３６】
図４は、携帯電話５０を従来のＢｌｕｅｔｏｏｔｈ対応のカーラジオ（別名「ヘッドユニット」）７０に接続する標準的な方法を示している。携帯電話５０は「ソース」と見なされ、ヘッドユニット７０は「シンク」と見なされる。携帯電話５０からヘッドユニット７０にオーディオデータがストリーミングする。ヘッドユニット７０は、信号を受信し、それを処理し、車内のスピーカ７２への信号を増幅して、オーディオ音を生成する。
【００３７】
図５は、図１に示され、上で説明された、ポータブルサブウーファ１０を使用する同じソリューションを示している。図５に示されるように、携帯電話５０は、「ソース」としてＢｌｕｅｔｏｏｔｈを介してポータブルサブウーファ１０に接続する。ポータブルサブウーファ１０は、携帯電話５０に対する「シンク」であり、カーステレオ（すなわち、ヘッドユニット）７０に対する「ソース」でもある。ヘッドユニット７０は、ポータブルサブウーファ１０に対して「シンク」である。基本的に、ポータブルサブウーファ１０は、携帯電話５０からオーディオ信号を受信し、信号を処理し、低域周波数を、内部サブウーファラウドスピーカ（図１の３８）にパワーを供給する内部アンプ（図１の３２）にルーティングし、中高域周波数を、次いでヘッドユニット７０に効果的にブロードキャストされる「ソース」部分にルーティングする、ように構成される。発せられる音に聞き取れる遅延がないように、ポータブルサブウーファ１０及びヘッドユニット７０の両方が同期される（すなわち、図１に示される少なくとも１つのマイク２４及び同期回路２６を使用して）。
【００３８】
カーステレオ７０にペアリングするとき、ポータブルサブウーファ１０は、ソース携帯電話５０及びカーステレオ７０の範囲内にセットされる。ユーザは、Ｂｌｕｅｔｏｏｔｈを介して携帯電話５０をポータブルサブウーファ１０にペアリングし、ポータブルサブウーファ１０は、カーステレオ７０にペアリングする。接続された時点で、ユーザは自身の携帯電話を介してオーディオをストリーミングする。
【００３９】
ポータブルサブウーファ１０は、好ましくは、ペアリングされている環境又は製品に一致するように音レベルを「チューニング」するために、既存のサブウーファと同様の機能を有する。これは、好ましくは、たとえば、ボリュームレベル、クロスオーバ周波数、及び位相を含む。
【００４０】
ポータブルサブウーファ１０はまた、音を他のオーディオデバイス（ポータブルＢｌｕｅｔｏｏｔｈスピーカ、カーステレオなど）と同期させるように構成されるので、ユーザは、ポータブルサブウーファ１０からの低域周波数と他のオーディオデバイスからの中高域周波数との間でのいかなる遅延もなく音楽を聞くことになる。
【００４１】
ポータブルサブウーファ１０は、Ｂｌｕｅｔｏｏｔｈオーディオをストリーミングすることができる任意のデバイスからＢｌｕｅｔｏｏｔｈを介してペアリングし、「シンク」として機能する、ように構成される。ポータブルサブウーファ１０はまた、Ｂｌｕｅｔｏｏｔｈを介して、Ｂｌｕｅｔｏｏｔｈオーディオをストリーミングすることができる他のオーディオ機器にペアリングし、「ソース」として機能する、ようにも構成される。
【００４２】
ポータブルサブウーファ１０はまた、好ましくは、信号を２つのストリームに「分割」するためにオーディオ信号出力をフィルタリングするようにも構成される。一方はポータブルサブウーファ１０への低域周波数で、他方は中高域周波数を対象とした他のデバイスにワイヤレスでストリーミングする。
【００４３】
ポータブルサブウーファ１０はまた、オーディオストリームを再生する２つのユニット間の遅延がユーザに聞こえないように、好ましくは、ポータブルサブウーファ１０へ行くオーディオ信号と中高域周波数を再生するユニットとを同期させるように構成される。
【００４４】
好ましくは、ポータブルサブウーファ１０は、人が持ち運べるほどサイズ及び重量が十分に小さいということで、ポータブルとなるように構成され、ユニット内の充電式バッテリで動作するので、ＡＣコンセントなどの任意の他の電源又は自動車電力システムを必要としないということで、ポータブルである。
【００４５】
ポータブルＢｌｕｅｔｏｏｔｈスピーカ、及びサブウーファのないカーステレオなど、十分なバスを有していない既存のオーディオシステムを改良するために、ポータブルサブウーファ１０は、より豊かな音を作成するために、携帯電話などのＢｌｕｅｔｏｏｔｈオーディオをストリーミングできるデバイスにペアリングし、ポータブルサブウーファ１０がより大きなバスを生成するようにオーディオを分割し、中高域周波数を既存のオーディオシステムに送信する、能力でこれを実現することができる。サイズ及び重量だけでなく、ユニットがバッテリ駆動で、動作するためにＡＣコンセント又は自動車からの直接の電源を必要としないため、ポータブルである。
【００４６】
本開示は、本明細書に開示されるデバイス及びシステムによって使用されるワイヤレス通信の標準であるとしてＢｌｕｅｔｏｏｔｈを対象としているが、デバイス及び関連するシステムは、本発明の範囲内に十分とどまりつつ、将来の標準などの他の標準及び周波数を使用してデータを受信及び送信するように構成されることができる。
【００４７】
さらに、デバイスはサブウーファであるとして説明されてきたが、デバイスは、たとえば、低、高、及び中域周波数を生成することができるフルレンジスピーカであるとして提供されることができる。したがって、本明細書に開示される「少なくとも１つのスピーカ」３８は、実際には、３つのスピーカなどの複数のスピーカであるとすることができ、シグナルプロセッサ１４は、異なるスピーカと関連付けられた異なるアンプに異なる周波数を送信するように構成される。
【００４８】
前述の説明はＢｌｕｅｔｏｏｔｈを強調したが、本発明は当該のワイヤレス規格に限定されず、代わりに、本発明は他のワイヤレス規格で機能するように構成されることができる、ということが理解されるべきである。
【００４９】
本発明の特定の実施形態が示され、説明されてきたが、当業者は、本発明の精神及び範囲から逸脱することなく、さまざまな修正を考案し得るものと予想される。
【図１】
2021532700.tif 000003
【図２】
2021532700.tif 000004
【図３】
2021532700.tif 000005
【図４】
2021532700.tif 000006
【図５】
2021532700.tif 000007
【図６】
2021532700.tif 000008
【図７】
2021532700.tif 000009
【国際調査報告】
2021532700.tif 000010